(57)【要約】【課題】肘掛け装置を簡単に取付けでき、しかも肘掛け装置の支持強度に優れている椅子を提供する。【手段】肘掛け装置５は肘支柱４７を備えており、肘支柱４７には座の下方に入り込む内向き部４７ａが一体に形成されている。内向き部４７ａの先端には取付け板５０が固着されており、取付け板５０が傾動フレーム２１の外側面にねじ５１で固定されている。取付け板５０の上端には上片５０ａと上係止片５４が一体に設けられている一方、傾動フレーム２１のブリッジ部材４０には、上係止片５４が差し込まれる係合穴５５が空いており、係合穴５５の箇所が係合部５６になっている。【選択図】図７
2008302063.tif 000002
【特許請求の範囲】
【請求項１】
座と肘掛け装置とを備えており、前記肘掛け装置は、座の外側に位置した肘支柱とこの肘支柱で支持された肘当てとを備えており、前記肘支柱の下端には座の下方に入り込んだ内向き部が連続しており、前記内向き部の先端が座の下方に配置された受け部材にねじで固定されている、
という椅子であって、
前記肘支柱における内向き部の先端には、前記受け部材の側面に横向きねじで固定される取付け板が設けられており、前記取付け板の上端に、正面視で座の中心側に延びる上係止片が一体に形成されている一方、前記受け部材には、前記上係止片を外側から挿入できる係合穴を有する係合部が形成されており、前記取付け板を受け部材の側面に固定した状態では、前記上係止片の付け根部は受け部材に上方から重なっており、上係止片のうち係合穴に入り込んだ部分は受け部材の係合部に下方から当接又は密接している、
椅子。
【請求項２】
前記受け部材は、脚支柱の上端に固定されたベースの左右両側に配置されている傾動フレームであって、前記傾動フレームは、背もたれが取付けられていると共に後傾動し得るように前端部がベースに連結されており、更に、左右の傾動フレームは、当該傾動フレームに溶接された金属板製のブリッジ部材によって一体に連結されており、傾動フレームが後傾すると座も後退及び後傾するように座とブリッジ部材とが相対回動可能に連結されており、
更に、前記ブリッジ部材に、肘支柱を座に向けて倒した傾斜姿勢にすると前記上係止片を挿入できる係合穴が形成されており、肘支柱を正面視直立姿勢にして取付け板が傾動フレームの側面に重なった状態では、前記上係止片がブリッジ部材のうち正面視で前記係合穴より内側の部分に下方から重なっている、
請求項１に記載した椅子。
【請求項３】
前記取付け板の前後中間部に前記上係止片が形成されていて取付け板は前後対象の形状になっており、このため１種類の取付け板を左右の肘掛け装置に使用可能になっている、
請求項１又は２に記載した椅子。
【発明の詳細な説明】
【技術分野】
【０００１】
本願発明は、肘掛け装置を備えた椅子に関するものである。
【背景技術】
【０００２】
椅子における肘掛け装置の取付け構造は様々である。例えば、肘掛け装置の取付け場所から見ると、一般には、ａ）脚支柱の上端に固定されたベースに取り付ける態様、ｂ）座の下面部に取り付ける態様（例えば特許文献１）、及び、ｃ）背もたれが取付けられた傾動フレームに取り付ける態様（例えば特許文献２，３）、に大別される。
【０００３】
肘掛け装置は一般に上下方向に延びる肘支柱を備えており、肘支柱の下端には座の下方に入り込む内向き部が連続しており、前記内向き部の先端が座やベースや傾動フレームにねじで固定されている。そして、特許文献１，２は、肘掛け装置における内向き部の先端を座又は傾動フレームの受け部に横方向から嵌め込んでおり、その状態でねじで固定している。
【特許文献１】特開平１０−１２７４１０号公報
【特許文献２】特開２００４−４９７３５報
【特許文献３】特開２００５−１５２１５７号公報
【発明の開示】
【発明が解決しようとする課題】
【０００４】
これら特許文献のうち特許文献２のものは、傾動フレームから左右外側に向けて突出した肘取付けを一体に設けて、肘取付け部の端面と肘支柱における内向き部の端面とを重ね合わせて横長のボルトで固定するにおいて、肘取付け部の端面と肘支柱における内向き部の端面とに互いに嵌まり合う凹凸を形成して位置決めしているものであるが、この構成では肘掛け装置に作用した下向きの荷重はねじに直接に作用するため支持強度が低く、また、肘掛け装置の取付けに際しては、人は手で肘掛け装置を持って位置と姿勢を保持しつつねじのねじ込みを行わねばならないため、取付け作業が面倒である。
【０００５】
他方、特許文献１，３の構成は、肘掛け装置に作用した下向きの荷重がねじのみだけでなく座や受け部材の広い範囲で支えられるため支持強度に優れており、また、肘掛け装置はねじによる固定前に座又は傾動フレームに仮保持されるため、取付けの作業性にも優れている。
【０００６】
特許文献３は本願出願人の先願に係るものであるが、本願発明はこの先願発明の考え方を一部踏襲したもので、高い支持強度は確保しつつ、構造の簡素化と組み付けの一層の容易性とを確保することを課題とするものである。
【課題を解決するための手段】
【０００７】
本願発明の椅子は、座と肘掛け装置とを備えており、前記肘掛け装置は、座の外側に位置した肘支柱とこの肘支柱で支持された肘当てとを備えており、前記肘支柱の下端には座の下方に入り込んだ内向き部が連続しており、前記内向き部の先端が座の下方に配置された受け部材にねじで固定されている。
【０００８】
そして、請求項１の発明は、上記の構成において、前記肘支柱における内向き部の先端には、前記受け部材の側面に横向きねじで固定される取付け板が設けられており、前記取付け板の上端に、正面視で座の中心側に延びる上係止片が一体に形成されている一方、前記受け部材には、前記上係止片を外側から挿入できる係合穴を有する係合部が形成されており、前記取付け板を受け部材の側面に固定した状態では、前記上係止片の付け根部は受け部材に上方から重なっており、上係止片のうち係合穴に入り込んだ部分は受け部材の係合部に下方から当接又は密接している。
【０００９】
請求項２の発明は、請求項１の発明を特許文献３に記載されたロッキング椅子に適用したものであり、この発明では、前記受け部材は、脚支柱の上端に固定されたベースの左右両側に配置されている傾動フレームであって、前記傾動フレームは、背もたれが取付けられていると共に後傾動し得るように前端部がベースに連結されており、更に、左右の傾動フレームは、当該傾動フレームに溶接された金属板製のブリッジ部材によって一体に連結されており、傾動フレームが後傾すると座も後退及び後傾するように座とブリッジ部材とが相対回動可能に連結されている。
【００１０】
そして、請求項２では、更に、前記ブリッジ部材に、肘支柱を座に向けて倒した傾斜姿勢にすると前記上係止片を挿入できる係合穴が形成されており、肘支柱を正面視直立姿勢にして取付け板が傾動フレームの側面に重なった状態では、前記上係止片がブリッジ部材のうち正面視で前記係合穴より内側の部分に下方から重なっている。
【００１１】
請求項３の発明は、請求項１又は２において、前記取付け板の前後中間部に前記上係止片が形成されていて取付け板は前後対象の形状になっており、このため１種類の取付け板を左右の肘掛け装置に使用可能になっている。
【発明の効果】
【００１２】
本願発明では、肘支柱における内向き部の上係止片が受け部材に上方から重なっているため、大きな荷重を的確に支えることができる。また、肘当てと内向き部先端との間にはある程度の寸法があるため、肘当てに作用した荷重は肘支柱の内向き部に対してモーメントとして作用しており、このため、肘当てに作用した下向きの荷重により、取付け板の上部を受け部材の側面から離反させるように（或いは肘支柱を外向きに倒すように）作用するが、本願発明では、取付け板の上部が受け部材から離反しようとすると、上係止片がシーソーの原理で受け部材の係合部に下方から当接することで取付け板の離反作用が阻止される。
【００１３】
このように、本願発明は、大きな下向き荷重を的確に支持できることと、肘支柱を外向きに倒すような作用に対する抵抗力が強いこととが相まって、肘掛け装置は格段に高い支持強度を確保することができる。
【００１４】
また、本願発明では、肘掛け装置は取付けに際して人が手で持っていなくても仮保持される。更に、取付け板は受け部材の側面にねじで固定されており、ねじは横向きの姿勢で回転操作するものであるため、椅子を床に普通においた状態でねじを回転操作して肘掛け装置を簡単に取付けたり取り外したりすることができる。このように、肘掛け装置を受け部材に仮保持できることとねじの回転操作を楽に行えることとが相まって、肘掛け装置の取付け・取り外しの作業が至極容易であり、このため、肘掛け装置の取付け・取り外しをユーザーが行うことも容易に実現できる。
【００１５】
そして、肘掛け装置の固定手段としては、肘掛け装置の肘支柱には上係止片を有する取付け板を設ければ良くて簡単な構成である一方、受け部材は係合穴を有するだけの簡単な構成であり、このため、加工も容易でコストダウンにも貢献できる。特に、請求項２の構成では、背もたれと座とを連動させるためのブリッジ部材の一部が係合部に兼用されており、また、係合穴を空けるだけで係合部も自動的に形成されるため加工はごく簡単であり、このため特に好適である。
【００１６】
請求項３の構成を採用すると、１種類の取付け板を左右の肘掛け装置に兼用できるため、部材管理や加工の手間を軽減してコストダウンに貢献できる。肘支柱を前後対称の形状・構造と成したり、肘掛け装置の全体を前後対称の形状・構造とすることも可能であり、この場合はコストダウンにより一層貢献できる。
【発明を実施するための最良の形態】
【００１７】
次に、本願発明の実施形態を図面に基づいて説明する。本実施形態は、児童・生徒が学習机とセットで使用する椅子に適用しているが、勿論、事務用椅子のような成人用の椅子にも使用できる。
【００１８】
(1).椅子の概要
まず、図１〜図４に基づいて概要を説明する。図１は椅子を前方から見た斜視図、図２のうち（Ａ）は正面図で（Ｂ）は側面図、図３は縦断側面図である、図４は傾動フレーム及び背フレームの斜視図である。
【００１９】
椅子は、主要要素として、キャスター付きの脚１と、脚１の上端に固定したベース２と、ベース２の上方に配置された座３と、座３の後方及び上方に配置された背もたれ４と、オプション品としての肘掛け装置５とを備えている（図２（Ｂ）では肘掛け装置５は表示していない。）。脚１は伸長自在及び回転自在な脚支柱（ガスシリンダ）６を備えており、脚支柱６の上端にベース２が固定されている。
【００２０】
また、脚１は放射状に延びる５本の枝足７を備えており、隣り合った３本の枝足７に平面視円弧状のステップ板８を固定している。敢えて説明するまでもないが、ステップ板は、児童が机を適正に使用する状態で床に足が届かないときに足を載せるためのものである。ベース２の外側には、ロッキング用ばねの弾性を調節するためのハンドル９、座３を高さ調節するに際して脚支柱６のロックを解除する昇降レバー１０、座３の前後位置を調節するに際してロックを解除する前後レバー１１が露出している。
【００２１】
図３に示すように、座３は、樹脂製の座インナーシェル（座板）１２とその上面に張った座クッション１３とを備えており、座クッション１３はクロスで覆われている。座インナーシェル１２は、その下方に配置された座アウターシェル（座受け部材）１４にビスで固定されている。座アウターシェル１４は座インナーシェル１２を支持する強度メンバーとして機能するもので、その下方に配置した金属製の中間金具１７に前後位置調節可能に支持されている。
【００２２】
背もたれ４は、図４に示す正面視四角形の金属製背フレーム１６とその前面に取付けられた背インナーシェル１７（図１参照）とを備えており、背インナーシェル１７の前面に背クッション１８が張られている。背クッション１８と背インナーシェル１７と袋状のクロス１９で覆われている。背フレーム１６は、当該背フレーム１６と相似形（四角形）の裏カバー２０（図２（Ｂ）参照）で裏側から覆われている。
【００２３】
背フレーム１６の下端部には、ベース２の左右外側において略前後方向に延びる左右の傾動フレーム２１の後端が溶接によって固着されている。傾動フレーム２１はベース２に後傾動自在に連結されており、また、詳細は後述するが、傾動フレーム２１に肘掛け装置５が取付けられている。
【００２４】
(2).ロッキング機構・シンクロ機構
背もたれ４は後傾動し（ロッキングし）、また、座３は背もたれ４の後傾動に連動して（シンクロして）後退しつつ後傾する。次に、このロッキング機構と座シンクロ機構及びその周辺の構成を、従前の図に加えて図５及び図６も参照して説明する。図５及び図６はロッキング機構及び座シンクロ機構を構成する部材の分離斜視図である。
【００２５】
本実施形態では、中間金具１５の前部が第１軸２３にてベース２の前部に後傾自在及び後退自在に連結され、傾動フレーム２１がベース２の後部に第２軸２４によって後傾可能に連結され、更に、中間金具１５の後部が傾動フレーム２１の前後中途部に第３軸２５で回動可能に連結されており、これらの一種のリンク機構によって背もたれ４がロッキング（後傾）すると共に座３は背もたれ４の後傾動に連動して後退しつつ後傾するようになっており、かつ、背もたれ４のロッキングと座３のシンクロとが主としてロッキング用ばね２６で弾性的に支持されている。以下、説明する。
【００２６】
図５，６に明示するように、ベース２は左右側板２ａを備えた上向き開口の箱状に形成されており、その後部に、脚支柱５が嵌着するインナーブラケット２７を固着している。ベース２における左右側板２ａの前部には、第１軸２３を軸支するための前向き開口溝２８が形成されている。
【００２７】
中間金具１５は平行に延びる左右の正面視Ｌ形の側枠２９を備えており、その前部には丸パイプ製の第１軸２３が溶接にて固着され、後部には丸パイプ製の第３軸２５が溶接にて固着されている。座アウターシェル１６の下面部に形成したガイド溝（図示せず）が側枠２９のフランジ図にスライド自在に嵌まる。図５や図１（Ｂ）に示すように、中間金具１５には左右両側からカバー３０が装着される。
【００２８】
図５から理解できるように、第１軸２３のうちベース２の内部の部位には、ベース２の前向き開口溝２８に入り込む左右のフロントブッシュ３１と、左右フロントブッシュ３１の間に挟まれた前部ばね受け３２とが被嵌している。左右フロントブッシュ３１はベース２にねじで固定されている。第１軸２３の左右中間部には横ずれ防止用のストッパー材３３が固定されている。左右フロントブッシュ３１は合成樹脂製で側面視Ｕ字状（二股状）に形成されており、その空所に第１軸２３が前後摺動自在に嵌まっている。前部ばね受け３２は、第１軸２３が嵌まるように後向き開口の側面視Ｕ字状に形成されている。
【００２９】
ベース２の内部には、インナーブラケット２７の前面で左右スライド可能に支持されたばね受けスライダー３４が配置されており、ばね受けスライダー３４には後部はね受け３５が嵌まっている。前後のばね受け３２，３５でロッキング用ばね２６が挟まれている。ハンドル９を回転操作するとばね受けスライダー３４が左右移動し、すると、くさび作用により、後部ばね受け３５は前後移動する。これによってロッキング用ばね２６の初期弾性力が変化する。
【００３０】
傾動フレーム２１は断面小判形の金属パイプ（鋼管）を使用しており、既述のとおり、ベース２の左右外側に配置されている。そして、左右傾動フレーム２１の前端部には丸パイプ製の第２軸２４が固着されている。図６から理解できるように、第２軸２４は、上センターブッシュ３７と下センターブッシュ３８とで上下から挟まれており、かつ、上下センターブッシュ３７，３８はセンター金具３９を介してベース２の下面に固定されている。上センターブッシュ３７はベース２に対して左右動不能に嵌まっている。
【００３１】
図３（Ｂ）に示すように、第３軸２５は、左右傾動フレーム２１に架け渡すように配置された金属板製ブリッジ部材４０に、二つ割り式の合成樹脂製リアブッシュ４１及び押さえ用のリア金具４２にて連結されている。リアブッシュ４１とリア金具４２とはブリッジ部材４０の上面に左右一対ずつ配置されている。ブリッジ部材４０は背フレーム１０に溶接で固着されている。
【００３２】
ベース２の後端と背フレーム１６の下端との間には、背もたれ４を任意の後傾角度に保持できる背用ガスシリンダ４３を配置している（ガスシリンダ４３はロッキング及び座３のシンクロの弾性的な支持機能も備えている。）。背用ガスシリンダ４３はベース２と背フレーム１６とに相対回動可能に連結されている。このため、図４に示すように、背フレーム１６の下部の左右中間部には連結用突起部４４が突設されており、また、左側の傾動フレーム２１の後部にはブラケット４５が固着されており、このブラケット４５には、背用ガスシリンダ４３をロック状態とフリー状態とに切り替えるレバー（図示せず）が取付けられている。
【００３３】
既述のとおり、着座した人が背もたれ４に凭れかかると、背もたれ４はロッキング用ばね２６及び背用ガスシリンダ４３の弾性に抗して第２軸２４を中心に後傾動し、他方、座３は第３軸２５による引っ張り作用と第１軸２３のスライドとにより、後傾しつつ後退動する。言うまでもないが、座３の後傾の度合いは背もたれ４の後傾の度合いよりも遥かに小さい。
【００３４】
(3).肘掛け装置及びその取付け構造
次に、従前の図に加えて図７，８も参照して肘掛け装置５とその取付け構造とを説明する。図７のうち（Ａ）は分離斜視図、（Ｂ）は肘掛け装置５の部分的な斜視図、図８のうち（Ａ）の要部の平面図、（Ｂ）は組み付け途中でのＢ−Ｂ視断面図、（Ｃ）は（Ａ）のＣ−Ｃ視断面図である。
【００３５】
図１及び図２（Ａ）に示すように、肘掛け装置５は、正面視で座３の左右外側において上下方向に延びるパイプ製の肘支柱４７を備えている。肘支柱４７の下端には座３の下方に入り込む内向き部４７ａが折り曲げ形成されており、内向き部４７ａが傾動フレーム２１に固定されている。
【００３６】
肘支柱４７は側面視でやや前傾姿勢になっており、その内部には昇降体（図示せず）が昇降自在に嵌まっており、昇降体の上端に肘当て４８が取付けられている。昇降体には高さ調節のためのレバー４９が設けられている。なお、肘掛け装置５は肘当てが昇降しない単一構造であってもよい。
【００３７】
図７，８に示すように、肘支柱４７における内向き部４７ａの先端には、傾動フレーム２１の外側面に重なる取付け板５０が溶接によって固着されており、前後２本のねじ（ビス、ボルト）５１で傾動フレーム２１に固定されている。従って、取付け板５０は取付け穴５２が空いており、傾動フレーム２１には雌ねじ穴５３が空いている。なお、雌ねじ穴５３の具体的態様としては、下穴にタップを立てる、バーリング加工してこれにタップを立てる、及び、傾動フレーム２１の内面にナットを溶接によって固着する、といった各種の方法を採用できる。
【００３８】
取付け板５０は鋼板のような金属板製であり、傾動フレーム２１の上面の略半分程度に重なる上片５０ａと、傾動フレーム２１の下面に重なる下片５０ｂとが折り曲げ形成されている。両片５０ａ，５０ｂは傾動フレーム２１にきっちり重なるように断面円弧状に形成されている。
【００３９】
そして、取付け板５０における上片５０ａの前後中間部にやや段落ちした状態で内向き（椅子の内部方向）に延びる上係止片５４を一体に設けている一方、傾動フレーム２１のブリッジ部材４０には、上係止片５４が挿入される上係止片５４を形成しており、従って、ブリッジ部材４０のうち係合穴５５とその内側の部分が係合部５６になっている。なお、ブリッジ部材４０のうち係合穴５６の内側に形成している長穴５８は、リアブッシュ４１を位置決めするためのものである。
【００４０】
取付け板５０は上下片５０ａ，５０ｂ及び上係止片５４を含んだ全体の形態として前後対称の形状になっている（取付け穴５２も前後対称位置に設けている。）。従って、１種類のものを左右の肘支柱４７に使用することができる。
【００４１】
例えば図８（Ｂ）から理解できるように、ブリッジ部材４０の左右側端部４０ａは上係止片５４における湾曲した上面の略半分に重なっており、このため側端部４０ａは緩く湾曲した断面形状になっている。そして、係合穴５５はブリッジ部材４０を左右外側に開口するように切り開くことによって形成されており、このため、ブリッジ部材４０には、側端部４０ａを前後に分断する開放溝５７が形成されており、この開放溝５７に肘支柱４７の上係止片５４が前後に殆どずれない状態で嵌まっている。
【００４２】
そして、肘掛け装置５を取り付けるに当たっては、図８（Ｂ）に示すように、肘掛け装置５をその肘支柱４７が正面視で座３に中央部に向けて倒れるように傾斜させた姿勢で上係止片５４をブリッジ部材４０の係合穴５５に嵌め入れ、次いで肘支柱４７が取付け板５０が上係止片５４の外側面に重なるように肘支柱４７の姿勢を戻し、それからねじ５１を傾動フレーム２１にねじ込んで固定したら良い。
【００４３】
この取付けにおいて、上係止片５４が開放溝５７及び係合穴５５に嵌まっていることにより、肘掛け装置５は人が手を離しても所定の姿勢に保持されており、従ってねじ５１のねじ込み操作をごく楽に行える。また、ねじ５１は傾動フレーム２１に横方向からねじ込むものであるため椅子は例えばひっくり返すようなことをしなくてもねじ５１のねじ込みを簡単に行うことができ、このため、ユーザーも肘掛け装置５の取付け・取り外しを簡単にできるのである。
【００４４】
更に、取付け板５０に上片５０ａと上係止片５４５４とを設けたことにより、肘掛け装置５に作用した下向きの荷重を的確に支えることができ、従って、２本だけのねじ５１で固定したに過ぎなくても高い支持強度を確保できる。特に、本実施形態のように上係止片５４の前後に延びる上片５０ａを設けると支持強度を向上できて特に好適である。
【００４５】
さて、肘掛け装置５は、荷重の作用点（肘当て４８）と取付け板５０との間に距離があるため、肘掛け装置５に強い下向きの荷重が作用したり、或いは、肘掛け装置５に外向きの荷重が作用したりすると、取付け板５０には図８（Ｃ）に矢印Ｘで示すようにその上部を上係止片５４から離反させる外力が作用することがある。換言すると、肘支柱４７を外向きに倒そうとする外力（モーメントン）が作用することがある。
【００４６】
これに対して本実施形態では、上係止片５４がブリッジ部材４０の下面（すなわち係合部５６）に下方から当たっているため、肘支柱４７を外向きに倒そうとする外力に強く抵抗することができ、その結果、肘支柱４７は２本のねじ５１で固定したに過ぎないにも拘わらず高い支持強度を確保できるのである。
【００４７】
本実施形態のように、取付け板５０に上片５０ａと下片５０ｂとを形成すると、取付け板５０で傾動フレーム２１が上下から抱持されるため、傾動フレーム２１との密着性が高くなって支持強度が一層優れている。また、肘掛け装置５には肘支柱４７を内側に倒すような内向き外力が作用することがあるが、実施形態のように取付け板５０に上下片５０ａ，５０ｂを設けると、取付け板５０による傾動フレーム２１の抱持力が強くなるため、内向き外力に対しても強い強度を確保できる利点がある。ブリッジ部材４０はシンクロに寄与せずに補強と肘掛け装置取付けのために設けることも可能である。
【００４８】
本実施形態では、肘支柱４７は側面視で前傾しており、また、図示していないが前面部には肘当て４８の高さ調節のための穴類が加工されており、従って、左右の肘支柱４７はそれぞれ専用品になっているが、高さ調節機構が無い場合や、高さ調節機構を構成する部分に前後の方向性がない場合は、１種類の肘支柱４７を左右いずれにも使用することができる。
【００４９】
(4).その他
本願発明は上記の実施形態の他にも様々に具体化できる。例えば肘掛け装置を取り付ける受け部材は必ずしも傾動フレームに限定されるものではなく、例えばベースや中間金具に取り付けることも可能である（ロッキングしない椅子に適用する場合は、ベースや脚に取り付けることになる。）。取付け板に複数の上係止片を設けることも可能である。
【図面の簡単な説明】
【００５０】
【図１】本願発明の実施形態に係る椅子を前方から見た斜視図である。
【図２】（Ａ）は正面図、（Ｂ）は側面図である。
【図３】（Ａ）は縦断側面図、（Ｂ）は（Ａ）の部分拡大図である。
【図４】傾動フレームと背フレームとの斜視図である。
【図５】主としてベースと中間金具との関係を示す斜視図である。
【図６】主としてベースと傾動フレームとの関係を示す斜視図である。
【図７】（Ａ）は傾動フレームと肘支柱との斜視図、（Ｂ）は取付け板の形態を示す斜視図である。
【図８】（Ａ）の要部の平面図、（Ｂ）は組み付け途中でのＢ−Ｂ視断面図、（Ｃ）は（Ａ）のＣ−Ｃ視断面図である。
【符号の説明】
【００５１】
１  脚装置
２  ベース
３  座
４  背もたれ
５  肘掛け装置
２１  傾動フレーム
４０  受け部材の一例としてのブリッジ部材
４７  肘支柱
４７ａ  内向き部
４８  肘当て
５０  取付け板
５０ａ  上片
５０ｃ  下片
５４  上係止片
５５  係合穴
５６  係合部
５７  開放溝
【図１】
2008302063.tif 000003
【図２】
2008302063.tif 000004
【図３】
2008302063.tif 000005
【図４】
2008302063.tif 000006
【図５】
2008302063.tif 000007
【図６】
2008302063.tif 000008
【図７】
2008302063.tif 000009
【図８】
2008302063.tif 000010